(57)【特許請求の範囲】
【請求項１】
隣り合わせて設置し、間に繊維製品を通過させて折り目を付けるのに用いる二つの折り畳み車と、
折り目をつけた繊維製品を積み重ねるのに用いる二つの堆積部材と、
上面に折り畳んだ繊維製品を載せるのに用いる第一積載部材と、
前記第一積載部材の上面に形成し、第一積載部材の上面に載せる繊維製品を吸着して該繊維製品の積み重ね位置のズレを防止するのに用いる一つ或いは複数個の吸着部材と、
折り畳まれた繊維製品を分割するのに用いる阻止部材と、
繊維製品を載せるのに用いる積載台とを含むことを特徴とする繊維製品折り畳み装置。
【請求項２】
前記繊維製品折り畳み装置は、第一積載部材から繊維製品を受け取るのに用いる第二積載部材を含み、前記積載台は第二積載部材から繊維製品を受け取るのに用い、尚且つ、阻止部材と積載台は、第一方向に沿って移動し、第二積載部材は第二方向に沿って移動し、第一方向と第二方向は直角に交わることを特徴とする請求項１に記載の繊維製品折り畳み装置。
【請求項３】
前記第一積載部材は複数個の指形状部を含み、該吸着部材を各指形状部上に設置することを特徴とする請求項１に記載の繊維製品折り畳み装置。
【請求項４】
前記吸着部材は孔状とし負圧を生じさせるのに用いることを特徴とする請求項１に記載の繊維製品折り畳み装置。
【発明の詳細な説明】
【技術分野】
【０００１】
本発明は、主に、繊維製品の折り畳みに用いるもので、繊維製品を折り畳んで重ね合わせた後の整然度を高める繊維製品折り畳み装置に関する。
【背景技術】
【０００２】
図１に公知の繊維製品折り畳み装置の構造を示す。図のとおり、公知の繊維製品折り畳み装置１０は主に、二つの折り畳み車１１、二つの堆積部材１３、第一積載部材１５、阻止部材１７、及び積載台１９を含む。その内、二つの折り畳み車１１は逆方向に回転可能で、二者間を通過する繊維製品１２に折り目を付ける。また、堆積部材１３は繊維製品１２を第一積載部材１５に積み重ねるためのもので、これにより、繊維製品１２の折り畳みを完成する。
【０００３】
第一積載部材１５上に積み重ねる繊維製品１２が一定数量に達すると、阻止部材１７が延伸し、積載台１９に係合し、繊維製品１２の運搬を行う。また、二つの折り畳み車１１及び二つの堆積部材１３は、続けて第一積載部材１５上で繊維製品１２を積み重ねる。
【０００４】
第一積載部材１５の表面には光沢があるため、堆積部材１３が繊維製品１２を第一積載部材１５に積み重ねる初期段階で、第一積載部材１５に近い繊維製品１２が元来設定した位置からずれる可能性もある。また、阻止部材１７が伸びて積み重ねが終わった繊維製品１２を分割する時、阻止部材１７或いは第二繊維製品１２３が第一積載部材１５上の第一繊維製品１２１を引っ張る可能性もあり、同様に、第一繊維製品１２１が元来の積み重ね位置からずれて繊維製品１２を積み重ねた初期段階においてきちんと揃った状態での配列が不可能となるため、繊維製品１２の積み重ねの整然度が低下する。
【発明の概要】
【発明が解決しようとする課題】
【０００５】
本発明の一つの目的は、主に、第一積載部材の上表面に少なくとも一吸着部材を設置し、第一積載部材上に積み重ねる繊維製品の数量が少ない時に、第一積載部材の上表面に設置した吸着部材が繊維製品を吸着して、第一積載部材上に積み重ねられた数枚の繊維製品を固定することにより、堆積後の繊維製品の整然性を高める繊維製品折り畳み装置を提供することにある。
【０００６】
本発明のもう一つの目的は、第一積載部材の上表面に少なくとも一吸着部材を設置することにより、繊維製品折り畳み装置をさらに、材質の比較的硬い繊維製品堆積に適用させ、繊維製品の堆積に非整然状況が発生するのを防ぐ繊維製品折り畳み装置を提供することにある。
【課題を解決するための手段】
【０００７】
上記した目的を達成するため、本発明の提供する繊維製品折り畳み装置は、隣り合わせて設置し、間に繊維製品を通過させて折り目を付けるのに用いる二つの折り畳み車と、折り目をつけた繊維製品を積み重ねるのに用いる二つの堆積部材と、上面に折り畳んだ繊維製品を載せるのに用いる第一積載部材と、前記第一積載部材の上面に形成し、第一積載部材の上面に載せる繊維製品を吸着して該繊維製品の積み重ね位置のズレを防止するのに用いる一つ或いは複数個の吸着部材と、折り畳まれた繊維製品を分割するのに用いる阻止部材と、繊維製品を載せるのに用いる積載台とを含む。
【０００８】
上述の繊維製品折り畳み装置の実施例には、第一積載部材から繊維製品を受け取るのに用いる第二積載部材を含む。
【０００９】
上述の繊維製品折り畳み装置の実施例において、その内の積載台は第二積載部材から繊維製品を受け取るのに用いる。
【００１０】
上述の繊維製品折り畳み装置の実施例において、その内の阻止部材と積載台は、第一方向に沿って移動し、第二積載部材は第二方向に沿って移動し、第一方向と第二方向は直角に交わる。
【００１１】
上述の繊維製品折り畳み装置の実施例には、阻止部材と積載台によって運ばれた繊維製品を受け取るベルトコンベアを含む。
【００１２】
上述の繊維製品折り畳み装置の実施例において、その内の第一積載部材は複数個の指形状部を含み、吸着部材を各指形状部上に設置する。
【００１３】
上述の繊維製品折り畳み装置の実施例において、その内の吸着部材は孔状とし負圧を生じさせるのに用いる。
【００１４】
上述の繊維製品折り畳み装置の実施例において、その内の折り畳み車はそれぞれ、第一折り畳み車と第二折り畳み車とし、尚且つ、第一折り畳み車と第二折り畳み車はいずれも、複数個の突起部と複数個の窪み部を含む。
【００１５】
上述の繊維製品折り畳み装置の実施例において、その内の第一折り畳み車の突起部及び窪み部はそれぞれ第二折り畳み車の突起部及び窪み部に相互にぴったり合う。
【００１６】
上述の繊維製品折り畳み装置の実施例において、その内の第一積載部材及び阻止部材は指形状且つ相互に交じわり合う。
【００１７】
上述の繊維製品折り畳み装置の実施例において、その内の吸着部材は孔状とし、負圧を生じさせるのに用いる。
【００１８】
上述の繊維製品折り畳み装置の実施例において、その内の積載台は第一積載部材から繊維製品を受け取るのに用いる。
【発明の効果】
【００１９】
本発明の繊維製品折り畳み装置は、繊維製品を折り畳んで重ね合わせた後の整然度を高める効果を備える。    
【図面の簡単な説明】
【００２０】
【図１】公知の繊維製品折り畳み装置の構造図である。
【図２】本発明実施例の繊維製品折り畳み装置の構造図である。
【図３】本発明繊維製品折り畳み装置の一部部品拡大図である。
【図４Ａ】本発明実施例の繊維製品折り畳み装置における第一積載部材の上面図である。
【図４Ｂ】本発明実施例の繊維製品折り畳み装置における第一積載部材の側面透視図である。
【図５Ａ】本発明繊維製品折り畳み装置の折り畳み方法の流れを示す図である。
【図５Ｂ】本発明繊維製品折り畳み装置の折り畳み方法の流れを示す図である。
【図５Ｃ】本発明繊維製品折り畳み装置の折り畳み方法の流れを示す図である。
【図５Ｄ】本発明繊維製品折り畳み装置の折り畳み方法の流れを示す図である。
【発明を実施するための形態】
【００２１】
図２には本発明実施例の繊維製品折り畳み装置構造図を示す。図のとおり、繊維製品折り畳み装置２０は二つの折り畳み車２１、二つの堆積部材２３、第一積載部材、阻止部材２７、積載台２９を含み、繊維製品折り畳み装置２０を使用することにより、きちんと揃った繊維製品２２の折り畳みを行う。
【００２２】
折り畳み車２１は主に繊維製品２２に折り目を付けるために用い、堆積部材２３によって折り目のある繊維製品２２の積み重ねを行う。図３に示すとおり、本発明の第一積載部材２５は、第一表面２５１と第二表面２５３を備え、第一積載部材２５の第一表面２５１に繊維製品２２を載せる。第一積載部材２５及び第一表面２５１には一つ或いは複数個の吸着部材２６を備え、吸着部材２６には負圧が生じ、第一積載部材２５の第一表面２５１に載せる繊維製品２２を吸着するのに用いる。
【００２３】
本発明の実施例は、図４Ａ及び図４Ｂに示すとおり、第一積載部材２５は複数個の指形状部２５２を含み、吸着部材２６は孔状とし負圧を生じさせるためのものである。複数個の吸着部材２６を各指形状部２５２の表面に均等に分布し、隣り合う吸着部材２６間は同間隔とするが、隣り合う吸着部材２６の間隔を等しくしない別の実施例も可能であり、第一積載部材２５が繊維製品２２を吸着する効果は同様に向上させることができる。
【００２４】
折り畳み車２１は第一折り畳み車２１１と第二折り畳み車２１３を含み、隣り合わせて設置する。並びに、二つの折り畳み車２１間に繊維製品２２を通過させて折り目を付ける。第一折り畳み車２１１は複数個の突起部２１１１と複数個の窪み部２１１３を含む。突起部２１１１及び窪み部２１１３を第一折り畳み車２１１の表面に交互に設置する。第二折り畳み車２１３は同様に複数個の突起部２１３１と複数個の窪み部２１３３を含み、尚且つ、突起部２１３１と窪み部２１３３を第二折り畳み車２１３の表面に交互に設置する。
【００２５】
第一折り畳み車２１１と第二折り畳み車２１３は隣り合わせて設置し、第一折り畳み車２１１上の突起部２１１１と第二折り畳み車２１３上の窪み部２１３３をぴったり合わせ、第二折り畳み車２１３の突起部２１３１と第一折り畳み車２１１上の窪み部２１１３をぴったり合わせる。第一折り畳み車２１１と第二折り畳み車２１３の回転方向は異なり、例えば第一折り畳み車２１１が時計回りに回転するなら、第二折り畳み車２１３は反時計回りに回転する。繊維製品２２が第一折り畳み車２１１と第二折り畳み車２１３間を通過する時、突起部２１１１及び突起部２１３１と窪み部２１３３及び窪み部２１１３によって圧せられ、繊維製品２２上に折り目を付ける。
【００２６】
第一折り畳み車２１１と第二折り畳み車２１３の突起部２１１１及び突起部２１３１と窪み部２１３３及び窪み部２１１３内には吸着孔２１１５及び吸着孔２１３５を設置してもよく、吸着孔２１１５及び吸着孔２１３５はエアを吸入し、これにより、折り畳み車２１は繊維製品２２を吸着或いは放出する。また、折り畳み車２１の下方にはさらに二つの堆積部材２３を設置し、その内、堆積部材２３は軸受け２３１を支点として順序に従い小幅の揺れを起こす。並びに、折り畳み車２１によって折り目を付けられた繊維製品２２を第一積載部材２５の第一表面２５１に積み重ねる。
【００２７】
第一積載部材２５上に積み重ねられた繊維製品２２の厚みと数量が増加すると、第一積載部材２５は第一方向Ｘに沿ってゆっくりと下方に移動し、折り畳み車２１と堆積部材２３による繊維製品２２の折り目付けと積み重ねを継続させる。
【００２８】
本発明実施例における折り畳み車２１は主に、繊維製品２２の中心線上に折り目を付け、堆積部材２３は谷折り方式で繊維製品２２の積み重ねを行う。例えば、繊維製品２２の中央に折り目を作り、対称となるよう繊維製品２２の折り畳みを行う。本発明で開示した繊維製品２２はフラット型トイレットペーパー、ティッシュペーパー、紙ナプキン、不織布、ウェットティッシュ等とする。折り畳まれた後の繊維製品２２は一般市場で販売される抜き取り式繊維製品である。
【００２９】
阻止部材２７は主に、折り畳まれた繊維製品２２を分割するために用いる。実際応用時には、堆積部材２３の折り畳み回数から繊維製品２２の積み重ね数量を知ることができる。繊維製品２２の折り畳み数量が予定の数量に達すると、阻止部材２７が伸びて積み重ねられた繊維製品２２を分割する。積載台２９には主に、折り畳みの完成した繊維製品２２を載せ、尚且つ、阻止部材２７を組み合わせて積み重ねた繊維製品２２を運搬する。
【００３０】
本発明の一実施例において、阻止部材２７は積載台２９と連接し、二者は第一方向Ｘに沿って繊維製品２２を運搬する目的を果たす。例えば、積載台２９に繊維製品２２を載せ、阻止部材２７と積載台２９によって折り畳みの完成した繊維製品２２をベルトコンベア３１に載せて運搬する。
【００３１】
本発明に開示した繊維製品折り畳み装置２０は、第一積載部材２５上の吸着部材２６によって繊維製品２２を吸着し、繊維製品２２を積み重ねた初期段階で配列が揃わない状況を防ぐ。例えば、吸着部材２６は、第一繊維製品２２１を吸着するためのもので、堆積部材２３、阻止部材２７、及び/或いはその上に設置した第二繊維製品２２３が第一繊維製品２２１を引っ張るのを効果的に防ぎ、これにより、第一繊維製品２２１の積み重ね位置のずれを防止し、並びに、繊維製品２２積み重ねの整然度を高める。比較すると、図１に示した公知の繊維製品折り畳み装置１０は、堆積部材１３が繊維製品１２を積み重ねた初期段階であるか、阻止部材１７が伸びて繊維製品１２をキャッチし位置を移動させている時であり、第一積載部材１５上表面に位置する第一繊維製品１２１は、堆積部材１３、阻止部材１７、及び/或いはその上に設置した第二繊維製品１２３によって引っ張られて、第一繊維製品１２１が元来予定した堆積位置を離れ、繊維製品１２を積み重ねる初期段階に出現する配列の非整然状況を引き起こす。
【００３２】
図５Ａから図５Ｄは、本発明繊維製品折り畳み装置の折り畳み方法の流れを示す図である。図に示すとおり、本発明により開示された繊維製品折り畳み装置２０が折り畳みを始める時、まず積載台２９が適当位置に移動し、折り畳み車２１と堆積部材２３によって繊維製品２２を積載台２９上に積み重ねる。これは図５Ａに示すとおりである。
【００３３】
積載台２９上に積み重ねた繊維製品２２が一定数量に達すると、阻止部材２７が伸びて折り畳まれた繊維製品２２を分割し、阻止部材２７と積載台２９は、第一方向Ｘに沿って移動し、折り畳まれた繊維製品２２を運搬する。阻止部材２７が伸びるのと同時に第一積載部材２５も伸び、折り畳み車２１と堆積部材２３は第一積載部材２５上で繊維製品２２の積み重ねを続ける。その内、第一積載部材２５上に設けた少なくとも吸着部材２６は、第一積載部材２５上に積み重ねた繊維製品２２を吸着する。これは図５Ｂに示すとおりである。
【００３４】
第一積載部材２５上に設置した吸着部材２６は、繊維製品２２の初期段階に負圧を生じさせるため、繊維製品２２を吸着し、繊維製品２２が積み重ねの初期段階に配列の非整然状況を起こすのを防ぐ。例えば、第一積載部材２５が延伸する時に吸着部材２６を起動し、吸着部材２６が起こす負圧によって第一積載部材２５に近い繊維製品２２を吸着する。
【００３５】
本発明の実施例において、繊維製品折り畳み装置２０は第二積載部材３５を含んでもよく、第二積載部材３５は第一積載部材２５から積み重ねられた繊維製品２２を受け取る。例えば、第二積載部材３５は第二方向Ｙに沿って延伸され、第一積載部材２５は第二積載部材３５の延伸後に元の位置に収縮し、折り畳まれた繊維製品２２を第二積載部材３５上に置く。尚且つ、繊維製品２２の位置を変化させるのと同時に、折り畳み車２１と堆積部材２３は引き続き繊維製品２２の折り畳みを継続する。繊維製品２２の積み重ねの厚みと数量の増加にともない、第二積載部材３５は第一方向Ｘに沿って下方に移動する。また、阻止部材２７と積載台２９は積み重ねの完成した繊維製品２２を定位まで運搬した後、さらにプッシュ棒３３によって積み重ねた繊維製品２２をベルトコンベア３１まで押す。これは図５Ｃに示すとおりである。
【００３６】
阻止部材２７と積載台２９は、積み重ねを完成させた繊維製品２２を運搬後、第二方向Ｘに沿って上方向に移動する。積載台２９が定位に達した後、第二積載部材３５は第二方向Ｙに沿って元の位置に収縮し、積載台２９で第二積載部材３５からの折り畳まれた繊維製品２２を受け取る。上述の第一方向Ｘと第二方向Ｙは直角に交わり、これは図５Ｄに示すとおりである。
【００３７】
実際応用時は、図５Ａから図５Ｄに示したステップを繰り返し行い、こうして繊維製品２２の積み重ねを完成させる。本発明の別の一実施例において、繊維製品折り畳み装置２０は第二積載部材３５を含んでもよく、積載台２９で第一積載部材２５上の折り畳まれた繊維製品２２を受け取り、同様に繊維製品２２の堆積を完成させる。
【００３８】
本発明に開示した堆積部材２３、第一積載部材２５、阻止部材２７、及び／或いは第二積載部材３５は指形状且つ互いを交わらせてもよく、これにより繊維製品２２の堆積、阻止、及び／或いは運搬のステップを有利にする。
【符号の説明】
【００３９】
１０  繊維製品折り畳み装置
１１  折り畳み車
１２  繊維製品
１２１  第一繊維製品
１２３  第二繊維製品
１３  堆積部材
１５  第一積載部材
１７  阻止部材
１９  積載台
２０  繊維製品折り畳み装置
２１  折り畳み車
２１１  第一折り畳み車
２１１１  突起部
２１１３  窪み部
２１１５  吸着孔
２１３  第二折り畳み車
２１３１  突起部
２１３３  窪み部
２１３５  吸着孔
２２  繊維製品
２２１  第一繊維製品
２２３  第二繊維製品
２３  堆積部材
２３１  軸受け
２５  第一積載部材
２５１  第一表面
２５２  指形状部
２５３  第二表面
２６  吸着部材
２７  阻止部材
２９  積載台
３１  ベルトコンベア
３３  プッシュ棒
３５  第二積載部材
【図１】
0005286398.tif 000002
【図２】
0005286398.tif 000003
【図３】
0005286398.tif 000004
【図４Ａ】
0005286398.tif 000005
【図４Ｂ】
0005286398.tif 000006
【図５Ａ】
0005286398.tif 000007
【図５Ｂ】
0005286398.tif 000008
【図５Ｃ】
0005286398.tif 000009
【図５Ｄ】
0005286398.tif 000010